(57)【要約】【課題】  書類や書籍などの印刷物から読み取った印刷情報の出力先を自動的に設定するとともに、出力先の誤設定を防げるようにする。【解決手段】  読取部５は、印刷物３に表示された印刷情報を読み取る。検出部９は、その印刷情報３に付され予め出力先情報が電子的に格納されたＲＦＩＤチップ３からその出力先情報を検出する。出力先設定部１５は、読み取ったその印刷情報に対し、検出されたその出力先情報に対応する出力先を設定する。【選択図】  図１
2007267317.tif 000002
【特許請求の範囲】
【請求項１】
印刷物に表示された印刷情報を読取る読取部と、
この読取部で読取った前記印刷情報の出力先情報であって当該印刷物に付された前記出力先情報を検出する検出部と、
前記読取部で読み取った前記印刷情報に対し、検出された前記出力先情報に対応する出力先を設定する出力先設定部と、
を具備することを特徴とする印刷情報読取装置。
【請求項２】
前記出力先情報は、読み取った前記印刷情報を印刷する印刷部を示すものである請求項１項記載の印刷情報読取装置。
【請求項３】
前記出力先情報は、読み取った前記印刷情報の保存先を示すものである請求項１項記載の印刷情報読取装置。
【請求項４】
前記出力先情報は前記印刷物に付されたＲＦＩＤチップに予め格納され、前記検出部は前記ＲＦＩＤチップから前記出力先情報を検出するものである請求項１〜３のいずれか１項記載の印刷情報読取装置。
【請求項５】
前記出力先情報は、読み取った前記印刷情報の送信先回線番号である請求項３又は４記載の印刷情報読取制御装置。
【請求項６】
前記出力先情報は、読み取った前記印刷情報の保存先アドレスである請求項３〜５のいずれか１項記載の印刷情報読取装置。
【請求項７】
前記出力先設定部で設定された前記出力先に向けてネットワークを介して通信する通信部を有する請求項１〜６のいずれか１項記載の印刷情報読取制御装置。
【請求項８】
印刷物に表示された印刷情報を読取って出力制御する印刷情報読取制御用コンピュータに、
印刷物に表示された印刷情報を読取る読取処理と、
この読取部で読取った前記印刷情報の出力先情報であって当該印刷物に付された前記出力先情報を検出する検出処理と、
読み取った前記印刷情報に対し検出した前記出力先情報に基づき出力先を設定する出力先設定処理と、
を実行させる印刷情報読取プログラム。
【発明の詳細な説明】
【技術分野】
【０００１】
本発明は印刷情報読取装置および印刷情報読取プログラムに係り、例えばスキャナー装置等において印刷物から読み取った印刷情報の出力先設定処理を簡素化した印刷情報読取装置および印刷情報読取プログラムに関する。
【背景技術】
【０００２】
近年、スキャナー装置、複写機又はこれらを搭載した複合機では、書類等の印刷物から印刷情報（印刷画像データ）読み取って電子化し、この電子化された印刷情報を内蔵ハードディスクに保存したりネットワーク上に接続されたコンピュータに転送出力して内蔵ハードディスクに保存する使い方が増えている。例えば、読み取った印刷情報をネットワーク上のコンピュータに出力する手段を備えた構成は、ネットワークスキャナー装置と呼ばれている。
【０００３】
そして、このようなネットワークスキャナー装置では、読み取った印刷情報をネットワーク上のコンピュータに出力する場合、表示パネルを兼ねた入力パネル等から出力先コンピュータのＩＰアドレス、Ｅ−Ｍａｉｌアドレス、ＦＴＰ（File Transfer Protocol）等を設定していた。
【０００４】
さらに、そのようなネットワークスキャナー装置において出力先を指定する構成として、例えば特開２００５−３４８０２７号公報（特許文献１）に示すような複合通信端末装置が提案されている。
【０００５】
これは、ファクシミリ番号情報の格納されたＲＦＩＤタグが付された名刺からそのファクシミリ番号情報を読取り、原稿トレイにセットされて読み取られた送信原稿をそのファクシミリ番号に向けて自動発信するよう構成した複合通信端末装置であり、簡単かつ正確にファクシミリ発信できるようにしたものである。
【特許文献１】特開２００５−３４８０２７号公報
【発明の開示】
【発明が解決しようとする課題】
【０００６】
しかしながら、上述したようなネットワークスキャナー装置では、読み取った印刷情報の出力先を設定するには、操作者が表示パネルを兼ねた入力パネル等から出力先のＩＰアドレス、Ｅ−Ｍａｉｌアドレス、ＦＴＰ等を入力設定していたので、設定作業が繁雑であるうえ誤設定も発生し易い難点がある。
【０００７】
さらに、特許文献１のような複合通信端末装置おいて、送信原稿の出力先を設定するには、ＲＦＩＤタグが付された名刺を用意して装置に読み取らせる作業が必要であり、名刺がないと利用できないし、作業性の観点からも改善の余地がある。
【０００８】
特に、企業等においては、請求書、納品書等の定形的書類を電子化し、例えば印刷処理や計算処理を行うための特定の場所に出力処理する作業が多々有り、それらの作業の円滑化が望まれている。
【０００９】
本発明はそのような課題を解決するためになされたもので、書類その他の印刷物から読み取った印刷情報の出力先を自動的に設定することが可能で、作業性や誤操作の防止が可能な印刷情報読取装置および印刷情報読取プログラムの提供を目的とする。
【課題を解決するための手段】
【００１０】
そのような課題を解決するために本発明に係る印刷情報読取装置は、印刷物に表示された印刷情報を読取る読取部と、読取ったその印刷情報の出力先情報であって当該印刷物に付された出力先情報を検出する検出部と、読み取ったその印刷情報に対し検出されたその出力先情報に対応する出力先を設定する出力先設定部とを具備している。
【００１１】
そして、本発明では、上記出力先情報として読み取った印刷情報を印刷する印刷部を示すよう構成可能である。
【００１２】
本発明では、上記出力先情報として、読み取った印刷情報の保存先を示すよう構成可能である。
【００１３】
本発明では、上記出力先情報を印刷物に付されたＲＦＩＤチップに予め格納し、上記検出部にてＲＦＩＤチップからその出力先情報を検出するよう構成可能である。
【００１４】
本発明では、上記出力先情報として、読み取った印刷情報の送信先回線番号とするよう構成可能である。
【００１５】
本発明では、上記出力先情報として、読み取った印刷情報の保存先アドレスとするよう構成可能である。
【００１６】
本発明では、上記出力先設定部で設定された出力先に向けてネットワークを介して通信する通信部を有する構成も可能である。
【００１７】
そして、本発明に係る印刷情報読取プログラムは、印刷物に表示された印刷情報を読取って出力制御する印刷情報読取制御用コンピュータにおいて、印刷物に表示された印刷情報を読取る読取処理と、読取ったその印刷情報の出力先情報であって当該印刷物に付された出力先情報を検出する検出処理と、読み取った印刷情報に対し検出した出力先情報に基づき出力先を設定する出力先設定処理とを実行させるものである。
【発明の効果】
【００１８】
このような本発明に係る印刷情報読取装置および印刷情報読取プログラムでは、印刷物に表示された印刷情報を読取部で読取り、当該印刷物に付された出力先情報を検出部で検出し、読み取ったその印刷情報に対し検出されたその出力先情報に対応する出力先を出力先設定部で設定するから、書類その他の印刷物から読み取った印刷情報の出力先を自動的に設定することが可能となり、操作者の操作が簡素化されて作業性が向上するとともに、出力先の誤設定も防止可能となる。
【００１９】
そして、読み取った印刷情報を印刷する印刷部を上記出力先情報とした構成では、印刷情報を自動的に印刷部に出力して印刷可能となる。
【００２０】
その印刷情報の保存先を上記出力先情報とした構成では、印刷情報を所定の保存先に自動的に出力可能となる。
【００２１】
その検出部にてＲＦＩＤチップから出力先情報を検出する構成では、外部から目視による出力先情報の判読が困難であるから、セキュリティ上有用であるうえ、種々の出力先に対応可能である。
【００２２】
読み取った印刷情報の送信先回線番号を上記出力先情報とした構成では、印刷情報を所定の回線番号に例えばファクシミリ送信可能となる。
【００２３】
読み取った印刷情報の保存先アドレスを上記出力先情報とした構成では、印刷情報を所定の保存先アドレスに自動的に格納可能となる。
【００２４】
上記出力先設定部で設定された出力先に向けてネットワークを介して通信する通信部を有する構成では、印刷情報をネットワーク上の所定の保存先に自動的に格納可能となる。
【発明を実施するための最良の形態】
【００２５】
以下、本発明に係る実施の形態を図面を参照して説明する。
【００２６】
図１および図２は本発明に係る印刷情報読取装置を示すブロック図および概略構成図であり、便宜上、それを搭載したスキャナー装置１とともに示すものである。
【００２７】
図１および図２において、スキャナー装置１は、書類等の印刷物３に表示された印刷情報を読み取る読取部５、印刷物３に付された後述するＲＦＩＤチップ７に格納された出力先情報を検出する検出部９、印刷物３を自動給紙する自動給紙部１１（図１では単に給紙部と略す。）および印刷物３を外部へ排出する排紙部１３を有するとともに、後述する構成を有している。
【００２８】
読取部５は、自動給紙部１１から印刷物３が読取り動作領域（図示省略）に搬送されるとともに排紙部１３から吐き出される過程で、読取部５において印刷物３に対してスキャンさせた光を結像させて電子データに変換して読取り、例えばビットマップ形式その他の形式データにして出力先設定部１５に出力するものである。
【００２９】
検出部９は、読取部５の近傍において印刷物３の読取り搬送路に向けて配置されたセンサであり、後述するように、微弱電磁波を印刷物３の読取り搬送路に向けて発射するとともに、印刷物３に付されたＲＦＩＤチップ７からの電磁波を受信し、ＲＦＩＤチップ７に予め格納された出力先情報その他を電磁的に読取り、出力先設定部１５に出力するものである。
【００３０】
なお、検出部９は、印刷物の読取り搬送路において読取部５より上流側に配置されており、読取部５は検出部９による検出後に読取り動作をするようになっている。
【００３１】
ＲＦＩＤチップ７は、図２に示すように、例えば印刷物３に埋め込むよう又は表面に止着された極小さい１mm角程度の半導体チップであり、予め次のような情報が読み書き可能に格納されている。
【００３２】
すなわち、図３に示すように、個々のＲＦＩＤチップ７自体を識別するための番号や符号の組合せである（１）ＲＦＩＤチップの固有ＩＤ、ＲＦＩＤチップ７の（２）発行者名、発行者の属する国を示す（３）国情報、ＲＦＩＤチップ７を付す（４）文書（印刷物）名称、発行者管理用の（５）発行連続番号、ＲＦＩＤチップ７が付された印刷物３に表示された印刷情報の読取り後の出力先を示す（６）出力先情報（出力処理情報）、その他を３２ビット又は６４ビット程度の電子データとして格納したマイクロチップである。なお、保存先情報は複数格納可能である。
【００３３】
出力先情報としては、印刷する印刷部２３のアドレス情報や印刷情報の保存先情報である。
【００３４】
印刷情報の保存先情報としては、印刷情報をファクシミリ送信する相手先の送信先回線番号（ファクシミリ電話番号）の他、情報の格納場所である後述する情報機器２１のＩＰアドレスやフォルダ名、更に、一般的なＥ−Ｍａｉｌアドレス等の保存先アドレスである。
【００３５】
ＲＦＩＤチップ３は、例えば検出部９から伝搬させた微弱電磁波を電源として動作して内部の格納データを外部へ伝搬させるが、従来公知のものであるからその詳細な説明は省略する。
【００３６】
図１において、通信部１７は、有線又は無線ネットワーク１９を介して外部の例えばコンピュータ等の情報機器２１に接続されるとともに出力先設定部１５に接続されており、出力先設定部１５の制御の下で、その情報機器２１との間で後述するファクシミリ送信やデータ送信する機能を有している。
【００３７】
出力先設定部１５は、検出部９で検出された出力先情報の意味を解読し、読取部５で読み取った印刷情報に対し、その出力先情報に対応した出力先を設定して印刷情報を出力するものであり、通信部１７および印刷部２３その他に接続されている。
【００３８】
すなわち、出力先設定部１５は、検出部９で検出された出力先情報が印刷部２３のアドレス情報であれば、読み取った印刷情報を印刷部２３に出力設定し、印刷部２３を印刷制御する機能を有している。
【００３９】
また、出力先設定部１５は、出力先情報が送信先回線番号であれば、保存先として送信先回線番号を設定するとともに、通信部１７にてその送信先回線番号に向けて印刷情報をファクシミリ送信する機能を有している。
【００４０】
さらに、出力先設定部１５は、出力先情報が情報機器２１のＩＰアドレスやこのフォルダ名であれば、これらを保存先として設定し、印刷情報をそれらＩＰアドレスの情報機器２１に向けて通信部１７からデータ送信制御する機能を有している。なお、出力先情報がＥ−Ｍａｉｌアドレスであれば、これに向けて通信部１７からネットワーク１９を介してデータ送信するようになっている。
【００４１】
出力先設定部１５におけるそれら印刷や保存先設定等の出力先は、ＲＦＩＤチップ３に格納された出力先情報に対応して、入力部２５から予め設定されている。
【００４２】
印刷部２３は、印刷情報を印刷するモノクロ又はカラー印刷エンジンであり、詳細な図示はしないが、用紙の搬送ローラ、感光部、転写部、定着部等従来公知の構成を有している。
【００４３】
図１において、それら通信部１７、出力先設定部１５および記憶部９は、スキャナー装置１から抜き出して図示されているが、一般には内蔵されるものであるし、スキャナー装置１は印刷物３を自動給紙して搬送されるタイプに限定されない。
【００４４】
なお、出力先設定部１５を中心とする通信部１７、入力部２５等は、例えば図示しない種々の演算判断機能を有するＣＰＵ、このＣＰＵの動作プログラムを格納したＲＯＭおよび入出力インターフェースを有する印刷制御用のマイクロコンピュータで構成されており、スキャナー装置１に搭載した従来機能を担うマイクロコンピュータにて兼用構成可能である。
【００４５】
次に上述した本発明に係る印刷情報読取装置の動作を簡単に説明する。
【００４６】
自動給紙部１１から搬送された印刷物３から印刷情報が読取部５にて読取られるとともに、検出部９にてＲＦＩＤチップ３から出力先情報が検出されると、もし出力先情報が印刷部２３の指定であった場合、出力先設定部１５がその出力先情報を解読し、読み取った印刷情報を印刷部２３に出力設定し、印刷部２３を印刷制御する。
【００４７】
一方、もし出力先情報が送信先回線番号であれば、出力先設定部１５が保存先として送信先回線番号を設定し、通信部１７を介して送信先回線番号に印刷情報をファクシミリ送信制御する。
【００４８】
他方、出力先情報がＩＰアドレスやこのフォルダ名であれば、出力先設定部１５が、印刷情報をそれらＩＰアドレスに該当する情報機器２１に向けて通信部１７をデータ送信制御する。Ｅ−Ｍａｉｌアドレスについても同様である。
【００４９】
このような本発明に係る印刷情報読取装置では、印刷物３に表示された印刷情報を読取る読取部５と、その印刷情報３に付されたＲＦＩＤチップ３に格納された出力先情報を検出する検出部９と、その読み取った印刷情報に対し検出された出力先情報に対応する出力先を設定する出力先設定部１５とを具備するから、その印刷情報３に付されたＲＦＩＤチップ３に対し、読み取る印刷情報の出力先情報を予め格納しておけば、印刷物３から印刷情報を読み取る際に出力先情報も取得し、印刷情報の出力先を自動的に設定することが可能となる。
【００５０】
そのため、印刷物３から読取った印刷情報の出力先設定操作が簡素化され、作業性が向上するとともに、印刷情報を出力する出力先の誤設定を防止できる。
【００５１】
そして、ＲＦＩＤチップ３に格納する出力先情報が、読み取った印刷情報の印刷を指示する内容であれば、印刷情報を自動的に印刷部２３に出力して印刷可能となる。
【００５２】
また、ＲＦＩＤチップ３の出力先情報が、その印刷情報の保存先、例えば送信先回線番号、ＩＰアドレス、フォルダ名又はＥ−Ｍａｉｌアドレスであれば、これらを保存先として設定し、印刷情報をファクシミリ送信したり、ＩＰアドレスに該当する情報機器２１のフォルダに保存できるし、Ｅ−Ｍａｉｌアドレス先に送信して保存できる。
【００５３】
なお、出力先情報としての送信先回線番号、ＩＰアドレス、このフォルダ名又はＥ−Ｍａｉｌアドレスは、何れも広い意味で保存先アドレスと考えることが可能である。
【００５４】
上述した実施の形態では、出力先情報をＲＦＩＤチップ７に予め格納して印刷物３に付す構成を説明したが、本発明ではこれに限らず、印刷物３に印刷可能なバーコード、図柄、模様等によってもその機能を果たすことが可能であり、それらの解読が可能なように出力設定部１５を形成すれば良い。
【００５５】
もっとも、ＲＦＩＤチップ７に出力先情報を予め格納して印刷物３に付す構成では、出力先情報が視覚的に隠されるから、外部から目視による出力先情報の判読が困難となり、セキュリティ上有用であるし、種々の出力先情報の格納や検出が可能で、利用範囲が拡大される。
【００５６】
そして、本発明に係る印刷読取装置において、外部の情報機器２１と通信する通信部１７は必ずしも必須ではないが、通信部１７を設けて構成すれば、印刷情報をネットワーク１９上の所定の保存先に自動的に格納可能となり、利用範囲が拡大する利点がある。
【００５７】
なお、本発明に係る印刷情報読取装置は、スキャナー装置１以外に複写機、複合機その他に搭載可能である。
【００５８】
ところで、本発明に係る印刷情報読取プログラムにつき言及すれば、上述した読取部５、検出部９、出力先設定部１５等の機能を有し、印刷物３に表示された印刷情報を読取って出力制御する印刷情報読取制御用コンピュータにおいて、印刷物３に表示された印刷情報を読取る読取処理と、この読取った印刷情報の出力先情報であって当該印刷物に付された出力先情報を検出する検出処理と、読み取った印刷情報に対し検出した出力先情報に基づき出力先を設定する出力先設定処理とを実行させるものである。
【図面の簡単な説明】
【００５９】
【図１】本発明に係る印刷情報読取装置の実施の一形態をスキャナー装置とともに示すブロック図である。
【図２】スキャナー装置の概略を示す図である。
【図３】ＲＦＩＤチップ内の情報例を概略的に示す図である。
【符号の説明】
【００６０】
１  スキャナー装置（印刷情報読取装置）
３  印刷物
５  読取部
９  検出部
１１  自動給紙部
１３  排紙部
１５  出力先設定部
１７  通信部
１９  ネットワーク
２１  情報機器（コンピュータ）
２３  印刷部（印刷エンジン）
２５  入力部
【図１】
2007267317.tif 000003
【図２】
2007267317.tif 000004
【図３】
2007267317.tif 000005